(57)【要約】【課題】  カレンダーの有効スペースを利用して、比較的簡便に行き先・在席に関する情報や勤務情報を表示する。卓上スペース等を有効利用して、簡便に情報を表示する。【解決手段】  卓上カレンダーは、表面側に暦５が表示されると共に裏面側に状況情報６が表示されてなる複数枚のカレンダー２と、カレンダー２の表面側と裏面側とをそれぞれ任意に変えることでそれぞれの情報を表示可能なホルダー３を有する本体１とからなる。【選択図】  図１
2005144714.tif 000002
【特許請求の範囲】
【請求項１】
表面側に暦(5)が表示されると共に裏面側に状況情報(6)が表示されてなる複数枚のカレンダー(2)と、該カレンダー(2)の表面側と裏面側とをそれぞれ任意に替えることでそれぞれの情報を表示可能なホルダー(3)を有する本体(1)とからなる卓上カレンダー。
【請求項２】
前記カレンダー(2)がタブ(4)を有し、このタブ(4)の表面側に、該カレンダー(2)の裏面側の状況情報(6)の少なくとも一部が表示されてなる請求項１に記載される卓上カレンダー。
【請求項３】
タブ(4)の裏面側に、該カレンダー(2)の表面側の情報の少なくとも一部が表示されてなる請求項２に記載される卓上カレンダー。
【請求項４】
前記ホルダー(3)が、前記カレンダー(2)をホルダー(3)の上方向から抜き入れ可能としてなる請求項１ないし請求項３のいずれかに記載される卓上カレンダー。
【請求項５】
前記ホルダー(3)が、前記カレンダー(2)をホルダー(3)の横方向から抜き入れ可能としてなる請求項１ないし請求項３のいずれかに記載される卓上カレンダー。
【請求項６】
前記ホルダー(3)はカレンダー(2)と本体(1)とを機械的に連結させる連結部(3B)からなると共に、該カレンダー(2)を前記本体(1)に対して回転させることによって、裏面側の状況情報(6)を表示可能としてなる請求項１ないし請求項３のいずれかに記載される卓上カレンダー。
【請求項７】
前記本体(1)は、断面形状が上部から下部に向かって末広がりの形状をなして自立すると共に、正面側に前記カレンダー(2)のホルダー(3)を備えており、このホルダー(3)が、内部に保持するカレンダー(2)を開口部(7)から視認できる構造である請求項１に記載される卓上カレンダー。
【発明の詳細な説明】
【技術分野】
【０００１】
本発明は、暦が印刷等された卓上カレンダーに係り、特にカレンダーの紙面の有効スペースを利用して、行き先や在席に関する情報、および勤務情報等の状況情報を表示する卓上カレンダーに関する。
【背景技術】
【０００２】
今日、オフィス環境において複数の人がそれぞれ別々の机で事務を行い相互に連絡を取りがたい状況となっている。このような中、一般に、ホワイトボードや卓上のメモ用紙で行き先等の情報を記載するなどして勤務情報など表示している場合がある。
【０００３】
しかしながら、ホワイトボードではわざわざ記入しなくてはならず、煩雑な作業であると共にちょっとした退席や会議においても気を使うものである。他方、卓上のメモ用紙に勤務情報などを記載することは比較的簡便にできるものの、各々の情報に基づいて記入しなくてはならないという煩雑さは否めない。また、メモ用紙であれば退席中に置かれた書類等によって折角表示した情報が隠れる等の問題もある。このような情報をメモホルダーに付けて情報表示することもできるものの、メモフォルダーを別途設けざるを得ず卓上スペースの有効利用の観点からも好ましくない。
【０００４】
また、各人の卓上には通常卓上カレンダーが置かれ使用されているのが常であるが、卓上カレンダー自体を他のものに有効利用されることは実質なされていない。他方、カレンダーの裏面は余白として空欄であるか或いは、他の月のカレンダーが記載されているにとどまっているにしか過ぎないのが現状である。
【発明の開示】
【発明が解決しようとする課題】
【０００５】
本発明は、以上のような問題点を解決するために開発されたものであって、本発明の重要な目的は、比較的簡便にカレンダーの有効スペースを利用して、行き先・在席に関する情報や勤務情報を表示できる卓上カレンダーを提供することにある。
さらに、本発明の他の大切な目的は、卓上スペース等を有効利用して、簡便に情報を表示できる卓上カレンダーを提供することにある。
【課題を解決するための手段】
【０００６】
本発明の請求項１に記載の卓上カレンダーは、表面側に暦５が表示されると共に裏面側に状況情報６が表示されてなる複数枚のカレンダー２と、カレンダー２の表面側と裏面側とをそれぞれ任意に変えることでそれぞれの情報を表示可能なホルダー３を有する本体１とからなる。
【０００７】
ただし、本発明の卓上カレンダーは広義に用いるものとし、カレンダーを卓上に配置することはもちろん、壁掛けで利用することを排除するものでもない。
【０００８】
本発明の請求項２に記載の卓上カレンダーは、カレンダー２がタブ４を有し、このタブ４の表面側に、該カレンダー２の裏面側の状況情報６の少なくとも一部を表示している。また、請求項３に記載の卓上カレンダーは、タブ４の裏面側に、該カレンダー２の表面側の情報の少なくとも一部を表示している。
【０００９】
本発明の請求項４に記載の卓上カレンダーは、ホルダー３が、カレンダー２をホルダー３の上方向から抜き入れ可能としている。また、本発明の請求項５の卓上カレンダーは、ホルダー３が、カレンダー２をホルダー３の横方向から抜き入れ可能としている。
【００１０】
さらに、本発明の請求項６に記載の卓上カレンダーは、ホルダー３が、カレンダーと本体１とを機械的に連結する連結部３Ｂを備える。この卓上カレンダーは、カレンダー２を本体１に対して回転させることによって、裏面側の状況情報６を表示可能としている。
【００１１】
さらにまた、本発明の請求項７に記載の卓上カレンダーは、本体１の断面形状を上部から下部に向かって末広がりの形状として本体１を自立させると共に、本体１の正面側にカレンダー２のホルダー３を設けている。このホルダー３は、内部に保持するカレンダー２を開口部７から視認できる構造としている。
【発明の効果】
【００１２】
本発明の卓上カレンダーは、暦が表示されたカレンダーを、例えば「食事中」と記載された裏面に裏返すことにより、裏面の状況情報である食事中を表示することができ、暦が表示されたカレンダーの裏面を有効利用することができる。このように、本発明の卓上カレンダーは、比較的簡便にカレンダーの有効スペースを利用して、行き先、在席、および勤務等の状況情報を表示できるので、卓上スペース等を有効利用して簡便に情報を表示できる。
【００１３】
特に、本発明の請求項２の卓上カレンダーは、カレンダーに付された表面側のタブに裏面側の状況情報の少なくとも一部を表示しており、また、請求項３の卓上カレンダーは、カレンダーに付された裏面側のタブに、表面側の情報の少なくとも一部を表示させているので、これらのタブに表示された情報を見ながらカレンダーの両面に表示された情報を簡単に変更できる特長がある。
【発明を実施するための最良の形態】
【００１４】
本発明の卓上カレンダーは、表面側に特定の月の暦を表示すると共に、裏面側に種々の状況情報を表示してなる複数のカレンダーを備えており、これらのカレンダーの表裏に表示された情報を任意に切り換えることにより、暦だけでなく種々の状況情報をも表示するものである。
本発明の卓上カレンダーは、地球環境に配慮して紙を用いて形成することも、リサイクル樹脂を用いて形成することもできる。
【実施例１】
【００１５】
図１は、本発明の実施例１の卓上カレンダーを示す模式的斜視図であって、暦５を表示した状態を示すものである。 卓上カレンダーの本体１は、一枚の長方形の紙を４回折り曲げて底面にて接着することで、断面形状を略台形として自立できる構造としている。ただ、本体は、必ずしも断面形状を略台形とする必要はなく、上部から下部に向かって末広がりな形状、たとえば、三角形や半円形として自立させることもできる。
【００１６】
本体１は、１月から１２月までの暦５がそれぞれ印刷された複数枚のカレンダー２を収納可能なポケット３Ａを構成するホルダー３を正面側に備える。紙で構成された本体１は、ホルダー３を構成するべく、別体の紙を本体１の正面から貼り付けている。本体１に貼り合わされた紙は、左右及び下方を塞ぐ状態で貼り付けると共に、上方を貼り付けることなく開口しており、複数枚のカレンダー２を保持するポケット３Ａを構成している。
【００１７】
ホルダー３は、ポケット３Ａに保持されるカレンダー２に表示された情報を外部から見えるようにするために開口部７を設けている。図に示すホルダー３は、貼り合わされた紙の表面に、略長方形の切欠窓を開口して開口部７としている。なお、この表面側に貼り合わされた別体は、切欠窓を形成するために、両端を斜めに傾斜している。ホルダーは、透光性を有するシートや板材を開口部に配設して、内部に保持するカレンダーを汚れなどから保護することができる。さらにまた、本体に貼り合わせた別体の表面側の有効スペースを利用してカレンダー提供者のホームページや広告などを印刷することもできる。
【００１８】
複数枚のカレンダー２は、その表面側に１月から１２月までの暦５がそれぞれ印刷されると共に、裏面側には、種々の状況情報６が印刷されている。さらに、カレンダー２は、外周部にタブ４を有する。タブ４は、カレンダー２の外周縁から外側に突出して設けられた突出片である。各カレンダー２に設けられたタブ４は、表面側に、カレンダー２の裏面側の状況情報６の少なくとも一部を表示すると共に、裏面側には、カレンダー２の表面側の情報の少なくとも一部を表示している。複数枚のカレンダー２に設けられるタブ４は、互いに重ならないように位置ずれして設けており、全てのタブ４を正面から視認できるようにしている。
【００１９】
図１に示す卓上カレンダーにおいて、表面側に１月の暦５が印刷された１枚目のカレンダー２は、上部のタブ４に「出張」と表示されている。他方、１枚目のカレンダー２の裏面側には、図２に示すように、大きく「出張」と表示され、あるいは、出張を連想させる絵などが表示されている。図２は、カレンダー２の裏面側に表示された「出張」という勤務状態を示す状況情報６を表示する状態を示す模式的斜視図を表している。このように、本発明の卓上カレンダーは、カレンダー２を本体１のホルダー３から抜き出し表裏を入れ替えることで、卓上カレンダーが卓上の行き先掲示板としての機能を表すことができる。このような入れ変えはタブ４の情報を視認し、タブ４をもってカレンダー２の表裏をひっくり返すことによって比較的簡単に変えることができる。なお、図２に示すように、１月のカレンダー２のタブの裏面側には「１月」と好適に印刷されている。このように、タブ４の裏面側に表面側の暦５の月が表示することにより、状況情報６を表示する状態から暦５の情報に戻すときにタブ４の表示に基づいて比較的簡単に入れ替えできる。
【００２０】
同様に、２枚目のカレンダーとなる２月の暦が印刷されたカレンダーは、１月のカレンダー２のタブ４の右横に少しずれて、カレンダー２の表面側から視認できるようにタブ４を設けている。２枚目のカレンダーのタブ４の表面側には、「食事」と表示されている。この２月のカレンダーの裏面には、食事の絵や文字など食事中であることが分かるような行き先・在席等の状況情報が印刷されている。３枚目のカレンダーとなる３月の暦が印刷されたカレンダーは、２月のカレンダー２のタブ４の右横に少しずれて、カレンダー２の表面側から視認できるようにタブ４を設けている。このタブ４の表面側には、「休」と表示されている。３月のカレンダーの裏面側には休暇中であることが分かる行き先・在席等の状況情報が印刷されている。４枚目のカレンダーとなる４月の暦が印刷されたカレンダーは、３月のカレンダー２のタブ４の右横に少しずれて、カレンダー２の正面から視認できるようにタブ４を設けている。このタブ４の表面側には、「会議」と表示されている。４月のカレンダーの裏面側には会議中であることが分かる行き先・在席等の状況情報が印刷されている。５枚目のカレンダーとなる５月の暦が印刷されたカレンダーは、４月のカレンダーのタブ４の右横に少しずれて、カレンダー２の正面から視認できるようにタブ４を設けている。このタブ４の表縁側には、「終／帰」と２種類の情報が表示されている。５月のカレンダーの裏面側には仕事が終了した絵及び帰宅したことが分かる絵が印刷されている。このように、タブ４に記載される情報は一つだけには限られない。６枚目のカレンダーとなる６月の暦が印刷されたカレンダーは、５月のカレンダーのタブ４の右横に少しずれて、カレンダー２の正面から視認できるようにタブ４を設けており、「不在」と表示している。７月、８月、９月、１０月、１１月、１２月のタブ４には、それぞれ1-2-3、3-4-5、5-6-7、7-8-9、9-10-11、11-12-1と表示されており、各カレンダーの裏面には、状況情報を表示するかわりに３ヵ月分ごとの暦が印刷されている。 なお、タブ４には各々虹のように一定の色を順序をつけて付することによって、元の暦や状況情報などに戻しやすいように着色することもできる。
【００２１】
さらに、１月のカレンダー２と同様に、２月のカレンダーのタブ４の裏面側には「２月」と印刷し、以下、３月、４月・・・と印刷されたカレンダーのタブ４の裏面にも「３月」、「４月」・・・と印刷している。
【００２２】
なお、本実施例においては、断面が略台形の本体１の上面に略円形の開口孔を設けてペン挿入部８とすることで、ペン立てとして利用することもできる。
【００２３】
このように、本発明の卓上カレンダーは、カレンダー２の裏面のスペースを有効利用してカレンダー２の裏面側に印刷した種々の状況情報６を表面側のタブ４に併せて表示してある。このような構成とすることでカレンダー２を表裏入れ替え可能とした卓上カレンダーとして、比較的簡単な構成で種々の情報を簡便に表すことができるという顕著な効果を奏する。
【実施例２】
【００２４】
図３は、本発明の実施例２の卓上カレンダーを示す模式的斜視図であって、紙で構成された台座となる本体１に、１月から１２月までの暦５がそれぞれ印刷された複数枚のカレンダー２を収納可能なポケット３Ａとなるホルダー３を構成するべく本体１に別体の紙を正面から貼り付けている。
【００２５】
本実施例が実施例１と異なる点は、本体１に貼り合わされた紙は右側だけを開口して左側及び上下は塞がれており、複数枚のカレンダー２を保持すると共に横方向から取り出すことができるように構成としてある点である。カレンダー２は、本実施例のごとく１２枚ではなく６枚で構成することもできる。貼り合わされた紙の表面には、カレンダー２が表示される部分が見えるように略長方形の切欠窓を開口して開口部７を設けている。
【００２６】
この実施例においては、表面側に１月の暦５が印刷された１枚目のカレンダー２の右側に設けられたタブ４の表面側には「出張」と表示されている。他方、１枚目のカレンダー２の裏面側には、大きく「出張」と表示され、あるいは、出張を連想させる絵などが表示されている。カレンダー２をホルダー３から横に抜き出し表裏を入れ替えることで、卓上カレンダーが卓上の行き先掲示板としての機能を表すことができる。このような入れ替えは、タブ４の情報を視認し、タブ４をもってカレンダー２を引き出して表裏をひっくり返すことによって比較的簡単に変更することができる。なお、この場合は、実施例１とは異なり上下方向を逆転して裏面側に文字や絵の情報を印刷することでホルダー３の右側のみにタブ４を構成することができる。
【００２７】
同様に、２枚目以降のカレンダー２のタブ４には、それぞれ他の月のカレンダーのタブ４と重ならず正面側から視認できるように少しずれてタブ４が設けられている。
【００２８】
なお、実施例２の卓上カレンダーにおいても、例えば１月のカレンダー２の裏面側には出張の絵が印刷されると共に、タブ４の裏面側には「１月」と好適に印刷されている。このように、タブ４の裏面側には表面側の暦５の月が表示されており、状況情報を表示する状態から暦５を表示する状態に戻すときに、タブ４の表示に基づいて比較的簡単に変更できるように構成することができる。
【実施例３】
【００２９】
本発明の実施例３の卓上カレンダーは、カレンダー２を保持するホルダー３として、カレンダー２と本体１とを連結する連結部３Ｂを備えている。この図に示すホルダー３は、螺旋状に巻いた針金を連結部３Ｂとして、カレンダー２と本体１とを連結させている。このような連結部３Ｂは、螺旋状に巻いた針金だけでなくプラスチックで形成させたワッカ等種々のものを好適に利用することができる。本体１も好適には紙で構成され、比較的簡単に形成できると共に強度を持たせるために、図４のごとく断面が略三角形形状としているがこれのみに限られないことは言うまでもない。
【００３０】
このホルダー３は、カレンダー２と本体１に設けられた複数の貫通孔に螺旋状に巻いた針金を各々貫通させることによって、カレンダー２を本体１に対して回転させることができる。これによって、カレンダー２の裏面側の状況情報を表示可能としてある以外は、実施例１と同様にタブ４、タブ４の表示及び裏面の状況情報を印刷してある。ただし、図４に示すカレンダー２のタブ４は、カレンダー２を本体１に対して回転させるときに邪魔にならないように、カレンダー２の下部に設けている。ただ、タブは、左右に設けることもできる。
【００３１】
この卓上カレンダーは、図４に示すように、本体１の正面側においてカレンダー２の表面側の暦５を表示する状態から、カレンダー２を本体１に対して回転させて裏返すと共に、本体１の正面側と背面側を反転させて配置することにより、裏面側に表示された状況情報を表示することができる。
【００３２】
このように、カレンダー２の裏面側のスペースを有効利用して裏面側の状況情報を正面側のタブ４に併せて表示すると共にカレンダー２を表裏入れ替え可能とした卓上カレンダーとすることで比較的簡単な構成で種々の情報を簡便に表すことができるという顕著な効果を奏する。
【産業上の利用可能性】
【００３３】
本発明は、カレンダーの紙面の有効スペースを利用して出張、休暇、会議中などの行き先・在席に関する情報や勤務情報等の状況情報を表示し、他の人に簡単に分かるようにすることができる。
【図面の簡単な説明】
【００３４】
【図１】本発明の実施例１の卓上カレンダーを示す模式的斜視図である。。
【図２】図１のカレンダーを裏返した状態を示す模式的斜視図である。
【図３】本発明の実施例２の卓上カレンダーを示す模式的斜視図である。
【図４】本発明の実施例３の卓上カレンダーを示す模式的斜視図である。
【符号の説明】
【００３５】
１…本体
２…カレンダー
３…ホルダー            ３Ａ…ポケット          ３Ｂ…連結部
４…タブ
５…暦
６…状況情報
７…開口部
８…ペン挿入部
【図１】
2005144714.tif 000003
【図２】
2005144714.tif 000004
【図３】
2005144714.tif 000005
【図４】
2005144714.tif 000006